(57)【要約】【課題】バケットが遠心中に水平回動したときに試料容器の軸長が短くてハブの上面に当接しない寸法関係にあり、特にバケットと試料容器の総重量が重い場合には、バケットとロータの重心位置をロータ下部に設定することができ、ロータの回転安定性を確保することができるスイングロータの提供。【解決手段】  ロータ１０のアーム１２Ａはハブ１１から放射状に延び、アームは２本１組となって試料容器２１、３１を保持するバケット２０又は３０を回動可能に保持する。アームの先端は上方に屈曲するフック部１２Ｃを有し、フック部には高い位置で第１バケット２０の第１保持ピン２３を支持する第１ピン受部１３と、低い位置で第２バケット３０の第２保持ピン３３を支持する第２ピン受部１４が形成されている。【選択図】図１
2005081217.tif 000002
【特許請求の範囲】
【請求項１】
遠心機の駆動軸と同軸に延びるハブと、該ハブから延びるアーム部とを備え、該アーム部はそれぞれ互いに対向する一対のアームが一組となって複数組設けられ、それぞれの該一対のアームには、複数のバケットを回動可能に保持するためのバケット保持部が複数設けられていることを特徴とするスイングロータ。
【請求項２】
遠心機の駆動軸と同軸に延びるハブと、該ハブから延びるアーム部とを備え、該アーム部はそれぞれ互いに対向する一対のアームが一組となって複数組設けられ、それぞれの一対のアームが試料容器を保持するバケットの保持ピンを回動可能に支持するスイングロータであって、
それぞれの一対のアームには、該保持ピンを回転可能に支持し上部が開口している第１ピン受部が形成され、該第１ピン受部の直径方向の中心位置が該ハブの上面よりも高く設定されて、該バケットが該一対のアームの間で水平方向に回動したとき該バケットに収容された第１試料容器が該ハブ又はアームの上面に配置可能なスイングロータにおいて、
それぞれの該一対のアームの対向する面には、直径方向の中心が該ハブの上面と同じ高さかそれよりも低い位置にある第２ピン受部が形成され、該第１ピン受部にセットされるバケットとは異なるサイズ又は形状のバケットのピンのみが該第２ピン受部にセット可能であることを特徴とするスイングロータ。
【請求項３】
遠心機の駆動軸と同軸に延びるハブと、該ハブから延びるアーム部とを備え、該アーム部はそれぞれ互いに対向する一対のアームが一組となって複数組設けられ、それぞれの一対のアームが試料容器を保持するバケットを回動可能に支持するスイングロータであって、該バケットには断面円形の一対の保持ピンが互いに反対方向に同一直線上に突設され、それぞれの一対のアームには、該保持ピンを回転可能に支持し内径が該一対の保持ピンの外径と略等しいか僅かに大きく上部が開口している第１ピン受部が形成され、該第１ピン受部の直径方向の中心位置が該ハブの上面よりも高く設定されて、該バケットが該一対のアームの間で水平方向に回動したとき該バケットに収容された試料容器が該ハブ又はアームの上面に配置可能なスイングロータにおいて、
該バケットは、該保持ピンが第１の直径と第１の突出長を備えた第１バケットと、該保持ピンが第１直径と異なる第２直径と第１突出長より短い第２突出長を備えた第２バケットの２種用意され、
それぞれの該一対のアームの対向する面には、内径が第２直径と略等しいか僅かに大きく上部が開口する２ピン受部が形成され、該第２ピン受部の直径方向の中心は該ハブの上面と同じ高さかそれよりも低い位置にあり、また該第２ピン受部には縦壁部が設けられて該アームの回転方向において該第２ピン受部の有底部が規定され、該第１ピン受部は該第１直径と略等しいか僅かに大きい内径を有し、
該一対のアームにおける一対の第２ピン受部の互いに対向する縦壁間の距離は、該第１バケットの該保持ピンの自由端間の距離よりも短く、
該第２バケットの該保持ピンの自由端間の距離は、該一対のアームにおける一対の第２ピン受部の互いに対向する縦壁間の距離と等しいか僅かに短いことを特徴とするスイングロータ。
【請求項４】
該第２直径は該第１直径よりも大きいことを特徴とする請求項３記載のスイングロータ。
【請求項５】
該アームの半径方向において、該第２ピン受部は該第１ピン受部と少なくとも部分的に重なった位置にあることを特徴とする請求項３記載のスイングロータ。
【請求項６】
該第２ピン受部の縦壁部の頂面の少なくとも一部は、第１保持ピンの外形に倣う円弧形状をなして第１保持ピンを該頂面の少なくとも一部で支持することを特徴とする請求項５記載のスイングロータ。
【請求項７】
遠心機の駆動軸と同軸に延びるハブと、該ハブから延びるアーム部とを備え、該アーム部はそれぞれ互いに対向する一対のアームが一組となって複数組設けられ、それぞれの一対のアームが第１試料容器を保持する第１バケットを回動可能に支持するスイングロータであって、該第１バケットには断面円形の一対の第１保持ピンが互いに反対方向に同一直線上に突設され、それぞれの一対のアームには、該第１保持ピンを回転可能に支持し上部が開口している第１ピン受部が形成され、該第１ピン受部の直径方向の中心位置が該ハブの上面よりも高く設定されて、該第１バケットが該一対のアームの間で水平方向に回動したとき該第１バケットに収容された第１試料容器が該ハブ又はアームの上面に配置可能なスイングロータにおいて、
直径と突出長が第１保持ピンとは異なる第２保持ピンを有し、第１試料容器よりも質量が大きく該一対のアーム間で水平回動可能な第２試料容器を保持する第２バケットが設けられ、それぞれの該一対のアームの対向する面には、直径方向の中心が該ハブの上面と同じ高さかそれよりも低い位置にありかつ第２保持ピンのみがセット可能な第２ピン受部が形成され、該第１保持ピンは該第２ピン受部にセット不能に設けられていることを特徴とするスイングロータ。
【発明の詳細な説明】
【技術分野】
【０００１】
本発明はスイングロータに関し、特に遠心機用スイングロータに関する。
【背景技術】
【０００２】
スイングロータは、遠心機の遠心室内に突出する駆動軸と同軸に延びるハブと、ハブから放射状に半径方向外方に延びる複数のアーム部が設けられる。アーム部はそれぞれ互いに対向する一対のアームが一組となって複数組設けられ、それぞれの一対のアームが試料容器を保持するバケットを回動可能に支持する。具体的には、バケットには断面円形の一対の保持ピンが互いに反対方向に同一直線上に突設され、それぞれの一対のアームには、保持ピンを回転可能に支持し内径が一対の保持ピンの外径と略等しいか僅かに大きく上部が開口しているピン受部が形成されている。
【０００３】
スイングロータが回転すると、遠心室内において、アームに支承されたバケットが一対の保持ピンを中心に水平方向に回動し、試料容器内の試料の遠心分離が行われる。ここで遠心分離を行うためには、アーム部の位置や長さ、バケットの保持ピンを受ける各アームにおけるピン受部の位置、バケット自体の長さ、バケットに保持された試料容器の長さが、遠心室内の内径と高さとの関係で、寸法上の制約を受ける。
【０００４】
例えば、アーム部の長さと、ピン受部の位置は、バケットが水平方向に回動したとき、最大の遠心半径を確保するように可能な限り半径方向外方に設定するのがよいが、バケット底部が遠心室の内周面に当接しないことが条件である。また、アーム部の高さは、ロータの回転を安定させる目的から、ロータの重心を可能な限り下方に設定できるように可能な限り下方とするのがよいが、遠心前は、鉛直状態にあるバケットの底部や試料容器の上端が、それぞれ遠心室の底面や遠心室を閉鎖する蓋に当接しないことが条件である。更に、試料容器自体の長さが長すぎると、遠心作業中にバケットや試料容器が水平に回動したとき、試料容器の先端がロータのハブの上面と当接干渉して、試料容器を破損する恐れがあるので、これを避ける必要がある。
【０００５】
以上の問題を解決するため、特に、遠心中に試料容器の先端がハブの上面に干渉することを避けるための構成が特許文献１に記載されている。ここでは、各アームの自由端側を上方に突出させると共に、この突出部にピン受部が形成されている。そしてピン受部の直径方向の中心位置は、ハブの上面よりも高く設定されている。よってバケットが一対のアームの間で水平方向に回動したとき、バケットに収容された試料容器の先端側はハブの上面に配置可能となり、ハブとの干渉が避けられる。
【特許文献１】特表昭６１−５０２３１４号公報
【発明の開示】
【発明が解決しようとする課題】
【０００６】
しかし、従来のスイングロータでは、ピン受部の位置が高くなり、ロータ全体の重心位置がロータ上部に上がるので、回転時の安定性が悪くなるという問題が発生する。特に、試料容器が短く、遠心作業中に試料容器が水平に回動したとき、試料容器の先端がロータのハブの上面と干渉するおそれがない場合であっても、バケットを高い位置で水平回転させることになり、むしろピン受部の位置を高くしたことが、性能低下を来す。この欠点はロータ全体の重心位置が高くなったときに顕在化する。
【０００７】
また従来のスイングロータでは、バケットを支持する箇所が１カ所に限定されていたため、バケットの重量、形状、サイズによっては、バケットをアーム部に支持するのが不可能である場合があった。
【０００８】
そこで本発明は、重量、形状、サイズが異なるバケットであっても、アーム部に支持可能であるスイングロータを提供することを目的とする。特に、バケットが遠心中に水平回動したときに試料容器の軸長が短くてハブの上面に当接しない寸法関係にある場合は、そしてとりわけバケットと試料容器の総重量が重い場合には、バケットとロータの重心位置をロータ下部に設定することができ、ロータの回転安定性を確保することができるスイングロータを提供することを目的とする。
【課題を解決するための手段】
【０００９】
上記目的を達成するために本発明は、遠心機の駆動軸と同軸に延びるハブと、該ハブから延びるアーム部とを備え、該アーム部はそれぞれ互いに対向する一対のアームが一組となって複数組設けられ、それぞれの該一対のアームには、複数のバケットを回動可能に保持するためのバケット保持部が複数設けられているスイングロータを提供している。
【００１０】
また本発明は、遠心機の駆動軸と同軸に延びるハブと、該ハブから延びるアーム部とを備え、該アーム部はそれぞれ互いに対向する一対のアームが一組となって複数組設けられ、それぞれの一対のアームが試料容器を保持するバケットの保持ピンを回動可能に支持するスイングロータであって、それぞれの一対のアームには、該保持ピンを回転可能に支持し上部が開口している第１ピン受部が形成され、該第１ピン受部の直径方向の中心位置が該ハブの上面よりも高く設定されて、該バケットが該一対のアームの間で水平方向に回動したとき該バケットに収容された第１試料容器が該ハブ又はアームの上面に配置可能なスイングロータにおいて、それぞれの該一対のアームの対向する面には、直径方向の中心が該ハブの上面と同じ高さかそれよりも低い位置にある第２ピン受部が形成され、該第１ピン受部にセットされるバケットとは異なるサイズ又は形状のバケットのピンのみが該第２ピン受部にセット可能であるスイングロータを提供している。
【００１１】
更に本発明は、遠心機の駆動軸と同軸に延びるハブと、該ハブから延びるアーム部とを備え、該アーム部はそれぞれ互いに対向する一対のアームが一組となって複数組設けられ、それぞれの一対のアームが試料容器を保持するバケットを回動可能に支持するスイングロータであって、該バケットには断面円形の一対の保持ピンが互いに反対方向に同一直線上に突設され、それぞれの一対のアームには、該保持ピンを回転可能に支持し内径が該一対の保持ピンの外径と略等しいか僅かに大きく上部が開口している第１ピン受部が形成され、該第１ピン受部の直径方向の中心位置が該ハブの上面よりも高く設定されて、該バケットが該一対のアームの間で水平方向に回動したとき該バケットに収容された試料容器が該ハブ又はアームの上面に配置可能なスイングロータにおいて、該バケットは、該保持ピンが第１の直径と第１の突出長を備えた第１バケットと、該保持ピンが第１直径と異なる第２直径と第１突出長より短い第２突出長を備えた第２バケットの２種用意され、それぞれの該一対のアームの対向する面には、内径が第２直径と略等しいか僅かに大きく上部が開口する２ピン受部が形成され、該第２ピン受部の直径方向の中心は該ハブの上面と同じ高さかそれよりも低い位置にあり、また該第２ピン受部には縦壁部が設けられて該アームの回転方向において該第２ピン受部の有底部が規定され、該第１ピン受部は該第１直径と略等しいか僅かに大きい内径を有し、該一対のアームにおける一対の第２ピン受部の互いに対向する縦壁間の距離は、該第１バケットの該保持ピンの自由端間の距離よりも短く、該第２バケットの該保持ピンの自由端間の距離は、該一対のアームにおける一対の第２ピン受部の互いに対向する縦壁間の距離と等しいか僅かに短いスイングロータを提供している。
【００１２】
ここで、該第２直径は該第１直径よりも大きい。また、該アームの半径方向において、該第２ピン受部は該第１ピン受部と少なくとも部分的に重なった位置にあるのが好ましい。更に、該第２ピン受部の縦壁部の頂面の少なくとも一部は、第１保持ピンの外形に倣う円弧形状をなして第１保持ピンを該頂面の少なくとも一部で支持する構成である。
【００１３】
本発明は更に、遠心機の駆動軸と同軸に延びるハブと、該ハブから延びるアーム部とを備え、該アーム部はそれぞれ互いに対向する一対のアームが一組となって複数組設けられ、それぞれの一対のアームが第１試料容器を保持する第１バケットを回動可能に支持するスイングロータであって、該第１バケットには断面円形の一対の第１保持ピンが互いに反対方向に同一直線上に突設され、それぞれの一対のアームには、該第１保持ピンを回転可能に支持し上部が開口している第１ピン受部が形成され、該第１ピン受部の直径方向の中心位置が該ハブの上面よりも高く設定されて、該第１バケットが該一対のアームの間で水平方向に回動したとき該第１バケットに収容された第１試料容器が該ハブ又はアームの上面に配置可能なスイングロータにおいて、直径と突出長が第１保持ピンとは異なる第２保持ピンを有し、第１試料容器よりも質量が大きく該一対のアーム間で水平回動可能な第２試料容器を保持する第２バケットが設けられ、それぞれの該一対のアームの対向する面には、直径方向の中心が該ハブの上面と同じ高さかそれよりも低い位置にありかつ第２保持ピンのみがセット可能な第２ピン受部が形成され、該第１保持ピンは該第２ピン受部にセット不能に設けられているスイングロータを提供している。
【発明の効果】
【００１４】
請求項１記載のスイングロータによれば、遠心機の駆動軸と同軸に延びるハブと、ハブから延びるアーム部とを備え、アーム部はそれぞれ互いに対向する一対のアームが一組となって複数組設けられ、それぞれの一対のアームには、複数のバケットを回動可能に保持するためのバケット保持部が複数設けられているので、バケットのサイズや種類に応じて、アームの最適なバケット保持部に所望のバケットを保持することができる。
【００１５】
請求項２記載のスイングロータによれば、それぞれの一対のアームの対向する面には、直径方向の中心がハブの上面と同じ高さかそれよりも低い位置にある第２ピン受部が形成され、第１ピン受部にセットされるバケットとは異なるサイズ又は形状のバケットのピンのみが第２ピン受部にセット可能であるので、例えば質量の大きいバケットは第２ピン受部にセットすることで、バケットとロータの重心位置をロータ下部に設定することができ、ロータの回転安定性を確保することができる。
【００１６】
請求項３記載のスイングロータによれば、第２ピン受部の内径が第２バケットの第２直径と略等しいか僅かに大きくかつ上部が開口しており、第２バケットの保持ピンの自由端間の距離は、一対のアームにおける一対の第２ピン受部の互いに対向する縦壁間の距離と等しいか僅かに短いので、第２バケットの保持ピンは一対の第２ピン受部間に保持させることができる。従って、第２バケットが遠心中に水平回動したときに試料容器の軸長が短くてハブの上面に当接しない寸法関係にある場合は、そして特にバケットと試料容器の総重量が重い場合には、バケットとロータの重心位置をロータ下部に設定することができ、ロータの回転安定性を確保することができる。このとき第２バケット及び試料容器は、一対のアーム内で水平方向に回動する。
【００１７】
請求項４記載のスイングロータによれば、第２バケットの第２直径は第１バケットの第１直径よりも大きいので、第１直径と略同じ内径を備えた第１ピン受部に第２バケットの保持ピンを誤って装着することを防止できる。従って、第２バケットは確実に第２ピン受部に装着できる。第２バケットが遠心中に水平回動したときに試料容器の軸長が短くてハブ又はアームの上面に当接しない寸法関係にある場合は、そして特にバケットと試料容器の総重量が重い場合には、バケットとロータの重心位置をロータ下部に設定することができ、ロータの回転安定性を確保することができる。
【００１８】
請求項５記載のスイングロータによれば、第２ピン受部は第１ピン受部と少なくとも部分的に重なった位置にあるので、第２バケットが第２ピン受部に保持された場合でも、遠心機の遠心室内で最大の遠心半径を確保できる。また、請求項１に記載のように、第１ピン受部は上部が開口しているので、遠心作業中に第１ピン受部の内径が遠心力によりロータ半径方向外方に拡張する方向に第１ピン受部が付勢されても、第２ピン受部は第１ピン受部と部分的に重なった位置にあるので、第２ピン受部の縦壁部が第１ピン受部のロータ半径方向外方への変形を阻止することができる。よって、遠心中も第１ピン受部は第１バケットを確実に保持することができる。
【００１９】
請求項６記載のスイングロータによれば、第２ピン受部の縦壁部の頂面の少なくとも一部は、第１ピンの外形に倣う円弧形状をなして第１ピンを頂面で支持する構成であるので、第２ピン受部の縦壁部を、第１ピン受部の一部として利用することができる。従って、第１バケットを第１ピン受部に保持した場合や、第２バケットを第２ピン受部に保持した場合のいずれの場合にも、遠心機の遠心室内で最大の遠心半径を確保できる。
請求項７記載のスイングロータによれば、第２ピン受部の直径方向の中心がハブの上面と同じ高さかそれよりも低い位置にあり、第２ピン受部には第２保持ピンのみがセット可能であり、第１保持ピンは第２ピン受部にセット不能であるので、質量の大きい第２試料容器を第１ピン受部より低い位置にある第２ピン受部にのみ確実にセットすることができ、バケットとロータの重心位置をロータ下部に設定することができ、ロータの回転安定性を確保することができる。
【発明を実施するための最良の形態】
【００２０】
本発明の実施の形態によるスイングロータについて図１乃至図７に基づき説明する。図１は遠心機１の遠心室３に本実施の形態によるスイングロータ１０と、該ロータ１０に回動可能に支持された第１バケット２０及び第２バケット３０が装着された状態を示す縦断面説明図である。また図２はロータ１０に第１バケット２０、第２バケット３０が取付けられた状態を示す平面図である。なおこれらの図において、説明の便宜のため、異種のバケット２０、３０がロータ１に装着された状態が示されているが、実際の遠心動作においては、ロータ１０には同径のバケットが支持される。
【００２１】
ロータ１０は、遠心機の駆動軸２と同軸に延び、駆動軸２と共に回転するハブ１１と、ハブ１１から放射状に半径方向外方に延びるアーム部１２とを備え、アーム部１２はそれぞれ互いに対向する一対のアーム１２Ａ、１２Ｂが一組となって複数組（４組）設けられている。それぞれの一対のアーム１２Ａ、１２Ｂは、後述するように、試料容器２１、３１をそれぞれ保持する第１バケット２０、又は第２バケット３０を回動可能に且つ着脱可能に支持している。
【００２２】
図３、図４に示されるように、第１バケット２０、第２バケット３０には、試料容器２１、３１をそれぞれ収容する円筒形の第１バケット本体２２、第２バケット本体３２と、これら本体２２、３２の直径方向に互いに反対方向に突出している断面円形の一対の第１保持ピン２３、第２保持ピン３３とを有する。第１保持ピン２３の自由端面間の距離Ｌ１は、第２保持ピン３３の自由端面間の距離Ｌ２よりも長く、第１保持ピン２３の直径Ｄ１は、第２保持ピン３３の直径Ｄ２よりも小さい。ここで試料容器２１の重量は、試料容器３１の重量よりも小さい。また、試料容器２１の軸長は、第１バケット２０や試料容器２１が水平に回動したとき、試料容器２１の先端が、ハブ１１又はアーム１２の上面に位置する長さである。一方、試料容器３１の軸長は、第２バケット３０や試料容器３１が水平に回動したとき、試料容器３１が、ハブ１１の上面に至らず、一組のアーム１２Ａ、１２Ｂ間に配置できる長さである。
【００２３】
一組のアーム１２Ａ、１２Ｂは、互いに対向しかつアーム１２Ａ、１２Ｂの先端から上方に屈曲するフック部１２Ｃ、１２Ｄが一体に設けられている。そしてフック部１２Ｃ、１２Ｄにおいて、第１保持ピン２３と係合可能な第１ピン受部１３と、第２保持ピン３３と係合可能な第２ピン受部１４が形成されている。第１ピン受部１３の内径は、第１保持ピン２３が収容可能なように第１保持ピン２３の外径と略等しいか僅かに大きい。また第１ピン受部１３の上部は開口しており、図６の矢印に示されるように、上方から開口を通じて第１保持ピン２３は第１ピン受部１３に装着可能である。更に、第１ピン受部１３は、ロータ１０の回転方向において、フック部１２Ｃを貫通している。ここで、第１ピン受部１３の直径方向の中心位置は、ハブ１１の上面よりも高く設定されており、第１バケット２０や試料容器２１が一対のアーム１２Ａ、１２Ｂの間で水平方向に回動したとき、第１バケット２０に収容された試料容器２１の先端が、ハブ１１の上面に配置可能である。よって試料容器２１はアーム１２やハブ１１と干渉することなく、遠心室３内で遠心回転が可能である。なお当然ながら、第１保持ピン２３の自由端面間の距離Ｌ１は、一組のアーム１２Ａ、１２Ｂの対向する第１ピン受部１３、１３間で支持し得る長さである。
【００２４】
第２ピン受部１４は、アーム１３の半径方向において、第１ピン受部１３と部分的に重なった位置にあり、第２保持ピン３３が収容可能なように、内径が第２保持ピン３３の外径と略等しいか僅かに大きく、また上部が開口している。また第２ピン受部１４の直径方向の中心は、ハブ１１の上面と同じ高さかそれよりも低い位置にある。更に、第２ピン受部１４には縦壁部１５が設けられて、アーム１２の回転方向において第２ピン受部１４の有底部が規定される。また、一対のアーム１２Ａ、１２Ｂにおける互いに対向する一対の第２ピン受部１４、１４の互いに対向する縦壁１５、１５の内面間の距離は、第１バケット２０の第１保持ピン２３の自由端間の距離Ｌ１よりも短く、従って、第１保持ピン２３を第２ピン受部１４、１４間に装着することが阻止される。一方、第２バケット３０の第２保持ピン３３の自由端間の距離Ｌ２は、一対のアーム１２Ａ、１２Ｂにおける一対の第２ピン受部１４、１４の互いに対向する縦壁１５、１５の内面間の距離と等しいか僅かに短く、図７の矢印に示されるように、第２保持ピン３３の上部開口を通じて、第２保持ピン３３を第２ピン受部１４内に装着可能である。そして上述した第２ピン受部１４の縦壁部１５の頂面１５Ａの少なくとも一部は、第１保持ピン２３の外形に倣う円弧形状をなしており、第１保持ピン２３を頂面の少なくとも一部で支持可能としている。
【００２５】
以上の構成において、質量が大きい試料容器３１内の試料を遠心分離の対象とするとき、上述した第１、第２ピン受部１３、１４の内径と第２保持ピン３３の直径との関係から、図７に示されるように第２バケット３０は第２ピン受部１４にのみに保持され、第１ピン受部１３には装着できない。そしてロータ１０の回転により、試料容器３１を装填した第２バケット３０は、図１の鉛直位置から水平位置に回動する。
【００２６】
このとき第２ピン受部１４の直径方向の中心はハブ１１の上面と同じ高さかそれよりも低い位置にあるので、第２バケット３０や試料容器３１やロータ１０等により構成される回転体全体の重心位置をロータ１０の下部に設定することができ、ロータ１０の回転安定性を確保することができる。またこのとき試料容器３１はハブ１１の上面に当接しない寸法関係にあるので、第２バケット３０及び試料容器３１は、一対のアーム１２Ａ、１２Ｂ間の空間内で水平方向に回動する。また、第２ピン受部１４は第１ピン受部１３と部分的に重なった位置にあるので、第２バケット３０が第２ピン受部１４に保持された場合でも、遠心機の遠心室３内で最大の遠心半径を確保できる。
【００２７】
一方質量が小さい試料容器２１内の試料を遠心分離の対象とするときは、上述したように、一対の第２ピン受部１４、１４の互いに対向する縦壁１５、１５の内面間の距離は、第１バケット２０の第１保持ピン２３の自由端間の距離Ｌ１よりも短いので、第１保持ピン２３は第２ピン受部１４、１４間に装着することはできない。よって、第１保持ピン２３は確実に第１ピン受部１３、１３間にのみ装着できる。
【００２８】
そして遠心時に試料容器２１が図１に示される鉛直位置から水平位置に回動したとき、第１ピン受部１３の直径方向の中心位置がハブ１１の上面よりも高く設定されているので、試料容器２１の先端はアーム１２又はハブ１１の上面に位置することができ、試料容器２１がロータ１０に衝接して破損することを防止できる。
【００２９】
このとき、第１ピン受部１３は上部が開口しているので、遠心作業中に第１ピン受部１３の内径が遠心力によりロータ１０の半径方向外方に拡張する方向に第１ピン受部１３が付勢されるのであるが、第２ピン受部１４は第１ピン受部１３と部分的に重なった位置にあるので、第２ピン受部１４の縦壁部１５が第１ピン受部１３のロータ半径方向外方への変形を阻止することができる。よって、遠心中も第１ピン受部１３は第１バケット２０を確実に保持することができる。加えて、第２ピン受部１４の縦壁部１５の頂面１５Ａの少なくとも一部は、第１保持ピン２３の外形に倣う円弧形状をなして第１保持ピン２３を支持する構成であるので、第２ピン受部１４の縦壁部１５を、第１ピン受部１３の一部として利用することができる。従って、第１バケット２０を第１ピン受部１３に保持した場合や、第２バケット３０を第２ピン受部１４に保持した場合のいずれの場合にも、遠心機の遠心室内で最大の遠心半径を確保できる。
【００３０】
本発明によるスイングロータは上述した実施の形態に限定されず、特許請求の範囲に記載した範囲で種々の変形や改良が可能である。例えば、第１ピン受部１３にも第２ピン受部１４の縦壁部１５に相当するような縦壁部を設けてもよい。また、第１ピン受部１３と、第２ピン受部１４とをロータの半径方向において重ならない位置に設けてもよい。
【００３１】
また、上述した実施の形態によるロータは、アーム部１２がハブ１１から放射状に半径方向外方に延びる形状であるが、ロータ全体の形状をＨ状とし、Ｈ形状の２本の腕を繋いでいる水平部分の中心をハブとし、Ｈ形状のうち、２本の腕の上半分を一対のアームとしてバケットを支持し、Ｈ形状の２本の腕の下半分を他の一対のアームとしてバケットを支持するようにしてもよい。
【産業上の利用可能性】
【００３２】
本発明のスイングロータは、医学、薬学、農学分野等において、様々な試料の分離、分析に用いられる。
【図面の簡単な説明】
【００３３】
【図１】本発明の実施の形態によるスイングロータとバケットと遠心室の関係を示す説明図。
【図２】本発明の実施の形態によるスイングロータとバケットの平面図。
【図３】本発明の実施の形態によるスイングロータに装着される第１バケットの要部を示す図であり、（ａ）は正面図、（ｂ）は平面図。
【図４】本発明の実施の形態によるスイングロータに装着される第２バケットの要部を示す図であり、（ａ）は正面図、（ｂ）は平面図。
【図５】本発明の実施の形態によるスイングロータのアーム部先端を示し、バケットが装着されていない状態を示す部分斜視図。
【図６】本発明の実施の形態によるスイングロータのアーム部先端を示し、第１バケットが第１ピン受部に装着された状態を示す部分斜視図。
【図７】本発明の実施の形態によるスイングロータのアーム部先端を示し、第２バケットが第２ピン受部に装着された状態を示す部分斜視図。
【符号の説明】
【００３４】
１：遠心機、  ２：駆動軸、  ３：遠心室、  1０：スイングロータ、１１：ハブ、１２：アーム部、１２Ａ、１２Ｂ：一対のアーム、１２Ｃ、１２Ｄ：フック部、  １３：第１ピン受部、  １４：第２ピン受部、１５：縦壁部、  １５Ａ：縦壁部の頂面、２０：第１バケット、２１、３１：試料容器、  ２２：第１バケット本体、  ２３：第１保持ピン、  ３０：第２バケット、３２：第２バケット本体、  ３３：第２保持ピン  
【図１】
2005081217.tif 000003
【図２】
2005081217.tif 000004
【図３】
2005081217.tif 000005
【図４】
2005081217.tif 000006
【図５】
2005081217.tif 000007
【図６】
2005081217.tif 000008
【図７】
2005081217.tif 000009